(57)【要約】【課題】車両前方以外を向く座席に着座した乗員の快適性を向上することの可能な表示装置を提供する。【解決手段】車両前方以外を向く座席を備えた車両１に搭載される表示装置１０は、車両前方以外を向いた座席に着座した乗員が視認可能な位置に車両前方の映像を表示するものである。これによれば、車両前方以外を向いた座席に着座した乗員は、車両前方の光景を表示装置１０により視認することが可能である。そのため、その乗員は、車両１が自動運転などにより走行しているときに感じるストレスまたは不安感が緩和される。【選択図】図１
2019206192.tif 000002
【特許請求の範囲】
【請求項１】
車両前方以外を向く座席（２〜５）を備えた車両（１）に搭載される表示装置であって、
車両前方以外を向いた前記座席に着座した乗員が視認可能な位置に車両前方の映像を表示する表示装置。
【請求項２】
車両前方以外を向いた前記座席に着座した乗員は、車両の加速、減速またはタイヤ角度調節に関わる操作を実施することなく、前記表示装置により表示された映像を視認可能である、請求項１に記載の表示装置。
【請求項３】
車両前方の光景を撮影可能な撮影部（１１）と、
前記撮影部によって撮影された映像を、車両前方以外を向いた前記座席に着座した乗員が視認可能な位置に表示可能な受像部（１２〜１５）と、を備える請求項１または２に記載の表示装置。
【請求項４】
前記受像部は、車室内に設置され、車室内壁に映像を投影するプロジェクタ（１２）である請求項３に記載の表示装置。
【請求項５】
前記車室内壁には、リヤガラス（１３）またはサイドガラス（７）が含まれる請求項４に記載の表示装置。
【請求項６】
前記車室内壁には、スクリーン（１４）が含まれる請求項４に記載の表示装置。
【請求項７】
前記受像部は、映像を表示するディスプレイ（１５）、またはディスプレイ機能を有するリヤガラスまたはサイドガラスである請求項３に記載の表示装置。
【請求項８】
車両前方の映像を前記座席に着座した乗員に向けて反射させる鏡装置（１６）である請求項１または２に記載の表示装置。
【請求項９】
車両に搭載可能な車室内システムであって、
前記車両の車室内に設けられ、車両前方以外を向く座席（２〜５）と、
車両前方以外を向いた前記座席に着座した乗員が視認可能な位置に車両前方の映像を表示する表示装置（１０）と、を備えた車室内システム。
【発明の詳細な説明】
【技術分野】
【０００１】
本発明は、車両に搭載される表示装置、およびそれを備えた車室内システムに関するものである。
【背景技術】
【０００２】
従来、車両に搭載された制御装置、車載カメラおよびＧＰＳ（Global Positioning System）などを用いて自動運転を行う技術が種々知られている（例えば、特許文献１参照）。
【０００３】
この種の車両において、２０１５年に日本で開催された第４４回東京モーターショー２０１５では、自動運転モード時に運転席と助手席が車両後方を向き、後部座席と対座するように座席のレイアウトを変更できる車両が紹介された。
【先行技術文献】
【特許文献】
【０００４】
【特許文献１】特開２０１５−１６２１７５号公報
【発明の概要】
【発明が解決しようとする課題】
【０００５】
しかしながら、上述した車両では、車両前方以外を向く座席に着座した乗員は、車両前方の状況を確認することが困難になる。そのため、自動運転の安全性に問題ないというものの、その座席に着座した乗員は、例えば意図しない交通状況の発生や、車両の行き先の入力間違いなど、自動運転を行う車両に特有のストレスまたは不安感を感じることが懸念される。
【０００６】
本発明は上記点に鑑みて、車両前方以外を向く座席に着座した乗員の快適性を向上することの可能な表示装置、およびそれを備えた車室内システムを提供することを目的とする。
【課題を解決するための手段】
【０００７】
上記目的を達成するため、請求項１に記載の発明は、車両前方以外を向く座席を備えた車両に搭載される表示装置であって、車両前方以外を向いた座席に着座した乗員が視認可能な位置に車両前方の映像を表示するものである。
【０００８】
これによれば、車両前方以外を向いた座席に着座した乗員は、車両前方の光景を表示装置により視認することが可能である。そのため、その乗員は、車両が自動運転などにより走行しているときに感じるストレスまたは不安感が緩和される。したがって、この表示装置は、車両前方以外を向いた座席に着座している乗員の快適性を向上することができる。
【０００９】
なお、車両前方以外を向いた座席は、車室内で回転可能なものであってもよく、または、車両前方以外を向く方向で固定されたものであってもよい。また、本明細書において映像とは、光の屈折・反射などによって映し出された物の形や姿をいい、電気的変換によって再現した画像に加え、鏡に映った虚像も含むものである。
【００１０】
請求項９に記載の発明は、車両に搭載可能な車室内システムの発明である。車室内システムは、座席と表示装置を備える。座席は、車両の車室内に設けられ、車両前方以外を向くものである。表示装置は、車両前方以外を向いた座席に着座した乗員が視認可能な位置に車両前方の映像を表示する。
【００１１】
これによれば、車室内システムは、上述した請求項１にかかる発明と同様に、車両前方以外を向いた座席に着座している乗員の快適性を向上することができる。
【００１２】
なお、上記各手段の括弧内の符号は、後述する実施形態に記載の具体的手段との対応関係の一例を示すものである。
【図面の簡単な説明】
【００１３】
【図１】第１実施形態にかかる表示装置を備えた車両を側方から見た模式図である。
【図２】第１実施形態にかかる表示装置を備えた車両を上方から見た模式図である。
【図３】第１実施形態にかかる表示装置を備えた車両を側方から見た模式図である。
【図４】第１実施形態にかかる表示装置を備えた車両を上方から見た模式図である。
【図５】第３実施形態にかかる表示装置を備えた車両を側方から見た模式図である。
【図６】第４実施形態にかかる表示装置を備えた車両を上方から見た模式図である。
【図７】第５実施形態にかかる表示装置を備えた車両を上方から見た模式図である。
【図８】第６実施形態にかかる表示装置を備えた車両を側方から見た模式図である。
【図９】第６実施形態にかかる表示装置を備えた車両を側方から見た模式図である。
【図１０】第７実施形態にかかる表示装置を備えた車両を側方から見た模式図である。
【図１１】第８実施形態にかかる表示装置を備えた車両を側方から見た模式図である。
【図１２】第９実施形態にかかる表示装置を備えた車両を上方から見た模式図である。
【図１３】第１０実施形態にかかる表示装置を備えた車両を側方から見た模式図である。
【図１４】図１３のＸＩＶ部分の拡大図である。
【図１５】第１０実施形態の変形例である。
【発明を実施するための形態】
【００１４】
以下、実施形態について図に基づいて説明する。なお、以下の各実施形態相互において、互いに同一もしくは均等である部分には、同一符号を付して説明を行う。
【００１５】
（第１実施形態）
第１実施形態について図面を参照しつつ説明する。本実施形態の車両は、乗員による運転と、車両に搭載された制御装置による自動運転との切り替えが可能なものである。図１から図４に示すように、この車両１は、車室内に２列の座席を備えている。２列の座席のうち、車両前方の座席を１列目の座席と称し、その１列目の座席より車両後方の座席を２列目の座席と称する。
【００１６】
１列目の座席は、運転席２と助手席３により構成されている。図面では、車両１が右ハンドルとして、１列目の右側の座席を運転席とし、左側の座席を助手席としている。なお、車両１が左ハンドルである場合、１列目の左側の座席が運転席となり、右側の座席が助手席となる。
【００１７】
２列目の座席は後部右座席４と後部左座席５により構成されている。なお、２列目の座席は、後部右座席４と後部左座席５とが一体に構成されたものであってもよい。
【００１８】
１列目の座席を構成する運転席２と助手席３はいずれも、車両前方を向く場合と、車両後方を向く場合とに切り替え可能である。図１および図２では、運転席２と助手席３とが車両後方を向いた状態を示している。車両後方を向いた運転席２または助手席３に着座した乗員は、車両１の加速、減速またはタイヤ角度調節に関わる操作を実施しない。その状態で、車両１は、自動運転を実行することが可能である。
【００１９】
図３および図４では、運転席２と助手席３とが車両前方を向いた状態を示している。車両前方を向いた運転席２または助手席３に着座した乗員は、フロントガラス６を介して車両前方の光景を視認することができる。この状態で、車両１は、乗員による運転、または、自動運転を実行することが可能である。
【００２０】
車両１には、表示装置１０が設けられている。表示装置１０は、撮影部としてのカメラ１１と、受像部としてのプロジェクタ１２とを備えている。
【００２１】
カメラ１１は、車両前方に設置され、矢印Ａに示すように、車両前方の光景を撮影することが可能なものである。
【００２２】
プロジェクタ１２は、車室内に設置されており、矢印Ｂに示すように、カメラ１１で撮影された映像を、車両前方以外を向いた座席２、３に着座した乗員が視認可能な位置に表示するものである。図１および図２に示すように、プロジェクタ１２は、車室内壁としてのリヤガラス１３に映像を投影する。リヤガラス１３は、車両後方を向いた運転席２または助手席３に着座した乗員の正面にあり、その乗員が視認可能な位置にある。ここで、乗員が視認可能な位置とは、座席に着座した乗員の左右１８０度以内の範囲をいうものである。なお、座席に着座した乗員の正面を含む位置であれば、乗員はその映像を容易に視認可能である。
【００２３】
リヤガラス１３は、プロジェクタ１２から投影された光を反射すると同時に、車両後方からの光を透過するように構成されている。これにより、車両後方を向いた運転席２または助手席３に着座した乗員は、リヤガラス１３に映った映像により、車両前方の光景を視認することができる。また、その乗員は、リヤガラス１３を介して車両後方の光景も同時に視認することができる。したがって、この表示装置１０は、車両１が自動運転により走行しているときに乗員が感じるストレスまたは不安感を緩和することが可能である。さらに、表示装置１０は、リヤガラス１３を透過して見える車外の光景と、プロジェクタ１２から投影された車両前方の映像とを同時に乗員に視認させることが可能であるので、乗員が感じるストレスまたは不安感をさらに緩和することが可能である。
【００２４】
以上説明した第１実施形態の表示装置１０は、次の作用効果を奏するものである。
【００２５】
（１）第１実施形態では、表示装置１０は、車両前方以外を向いた座席２、３に着座した乗員が視認可能な位置に車両前方の映像を表示することが可能である。
【００２６】
これによれば、車両前方以外を向いた座席２、３に着座した乗員は、車両１が自動運転されているときに感じるストレスまたは不安感が緩和される。したがって、この表示装置１０は、車両前方以外を向いた座席２、３に着座している乗員の快適性を向上することができる。
【００２７】
（２）第１実施形態では、車両前方以外を向いた座席２、３に着座した乗員は、車両１の加速、減速またはタイヤ角度調節に関わる操作を実施することなく、表示装置１０により表示された映像を視認可能である。
【００２８】
これによれば、表示装置１０は、車両１の運転操作を必要としない乗員の快適性を向上することができる。
【００２９】
（３）第１実施形態では、表示装置１０は、撮影部としてのカメラ１１と、受像部としてのプロジェクタ１２とを備える。カメラ１１は、車両前方の光景を撮影可能である。プロジェクタ１２は、カメラ１１によって撮影された映像を、車両前方以外を向いた座席２、３に着座した乗員が視認可能な位置に表示可能である。
【００３０】
これによれば、車両前方以外を向いた座席２、３に着座した乗員は、カメラ１１によって撮影された車両前方の光景を、プロジェクタ１２により表示される映像により視認することが可能である。
【００３１】
（４）第１実施形態では、受像部としてのプロジェクタ１２は、車室内壁に映像を投影する。
【００３２】
これによれば、プロジェクタ１２から車室内壁に映像を投影することで、車両前方以外を向いた座席２、３に着座した乗員は、カメラ１１によって撮影された車両前方の光景を視認することが可能である。
【００３３】
（５）第１実施形態では、プロジェクタ１２から映像が投影される車室内壁には、リヤガラス１３が含まれる。
【００３４】
これによれば、プロジェクタ１２から映像が投影される車室内壁としてリヤガラス１３を使用することで、受像部の構成を簡素なものとすることが可能である。また、乗員は、プロジェクタ１２から投影された車両前方の映像と、リヤガラス１３を透過して見える車外の光景とを同時に視認することが可能となる。したがって、車両前方以外を向いた座席２、３に着座した乗員は、車両１が自動運転などにより走行しているときに感じるストレスまたは不安感がさらに緩和される。
【００３５】
なお、上述した第１実施形態の構成は、車両１に設置された座席２〜５と、表示装置１０とを備えた車室内システムとして捉えることが可能である。すなわち、車室内システムは、車両前方以外を向く座席２、３と、その座席２、３に着座した乗員が視認可能な位置に車両前方の映像を表示する表示装置１０とを備える。
【００３６】
これによれば、車両前方以外を向いた座席２、３に着座した乗員は、車両前方の光景を表示装置１０により視認することが可能である。そのため、その乗員は、車両１が自動運転などにより走行しているときに感じるストレスまたは不安感が緩和される。したがって、この車室内システムは、車両前方以外を向いた座席２、３に着座している乗員の快適性を向上することができる。
【００３７】
（第２実施形態）
第２実施形態について説明する。第２実施形態は、第１実施形態に対してリヤガラス１３の構成を変更したものであり、その他については第１実施形態と同様であるため、第１実施形態と異なる部分についてのみ説明する。なお、第２実施形態では、図１の説明に用いた図１から図４を流用して説明する。
【００３８】
第２実施形態では、リヤガラス１３は、例えば、２枚のガラスとその間に挿入した液晶シートにより構成される調光ガラスである。このリヤガラス１３は、プロジェクタ１２から投影された光を反射するとき、車両後方からの光を遮断することのできるものである。リヤガラス１３が車両後方からの光を遮断することで、車両後方を向いた運転席２または助手席３に着座した乗員は、リヤガラス１３に映った映像により、車両前方の光景のみを鮮明に視認することができる。
【００３９】
或いは、リヤガラス１３は、プロジェクタ１２から投影された光を反射するとき、車両後方から入射する光の透過量、すなわちリヤガラス１３の透明度を調整することのできるものとしてもよい。リヤガラス１３の透明度は、図示していない調整スイッチにより調整可能である。調整スイッチは、運転席２または助手席３に着座した乗員が操作可能な位置に設置することが好ましい。これにより、車両後方を向いた運転席２または助手席３に着座した乗員は、自らの好みに応じたバランスで、車両前方の光景と車両後方の光景を同時に視認することができる。
【００４０】
（第３実施形態）
第３実施形態について説明する。図５に示すように、第３実施形態では、プロジェクタ１２は、カメラ１１で撮影された映像を車室内壁としてのスクリーン１４に投影する。スクリーン１４は、車両後方を向いた運転席２または助手席３に着座した乗員が視認可能な位置にある。
【００４１】
スクリーン１４は、例えばロール巻き上げ式のものを適用することが可能である。第３実施形態では、車両後方を向いた運転席２または助手席３に着座した乗員は、スクリーン１４に映った映像により、車両前方の光景のみを鮮明に視認することができる。
【００４２】
（第４実施形態）
第４実施形態について説明する。図６に示すように、第４実施形態では、１列目の座席を構成する運転席２と助手席３のうち、いずれか一方の座席のみが、車両前方を向く場合と、車両後方を向く場合とに切り替え可能である。図６では、車両１が右ハンドルである場合において助手席３が車両後方を向き、運転席２が車両前方を向いた状態を示している。この状態で、車両後方を向いた助手席３に着座した乗員は、車両１の加速、減速またはタイヤ角度調節に関わる操作を実施しない。
【００４３】
なお、図示していないが、車両１が右ハンドルである場合において運転席２が車両後方を向き、助手席３が車両前方を向いた状態としてもよい。この状態で、車両後方を向いた運転席２に着座した乗員は、車両１の加速、減速またはタイヤ角度調節に関わる操作を実施しない。
【００４４】
第４実施形態においても、上述した第１〜第３実施形態と同一の作用効果を奏することができる。
【００４５】
（第５実施形態）
第５実施形態について説明する。図７に示すように、第５実施形態の車両１は、車室内に３列の座席を備えている。図７では、３列の座席のうち２列目の座席４、５が車両後方を向いた状態を示している。２列目の座席４、５は、車両前方を向く場合と、車両後方を向く場合とに切り替え可能である。なお、２列目の座席４、５は、車両後方を向いた状態で固定されたものであってもよい。
【００４６】
車両後方を向いた２列目の座席４、５に着座した乗員は、プロジェクタ１２からリヤガラス１３に投影された映像により、車両前方の光景を視認することができる。また、その乗員は、リヤガラス１３を介して車両後方の光景も同時に視認することができる。したがって、この表示装置１０は、車両１が自動運転により走行しているときに乗員が感じるストレスまたは不安感を緩和することが可能である。
【００４７】
（第６実施形態）
第６実施形態について説明する。図８に示すように、第６実施形態では、表示装置１０は、受像部としてディスプレイ１５を備えている。ディスプレイ１５は、車室内に設置されており、カメラ１１で撮影された映像を、車両前方以外を向いた座席に着座した乗員が視認可能な位置に表示するものである。すなわち、ディスプレイ１５は、車両後方を向いた座席に着座した乗員が視認可能な位置にある。なお、ディスプレイ１５は、リヤガラス１３を覆う程度の大きさである。また、ディスプレイ１５は、自動または手動で角度を調整可能であることが好ましい。
【００４８】
図９に示すように、ディスプレイ１５は、天井などに格納可能なものである。ディスプレイ１５は、図示していないモータの駆動により自動で格納されるものであってもよく、または、手動で格納されるものであってもよい。これにより、ディスプレイ１５を天井などに格納すれば、リヤガラス１３を介して車両後方の光景を視認することができる。
【００４９】
第６実施形態では、受像部にディスプレイ１５を採用することにより、プロジェクタ１２を用いることに比べて、より鮮明な映像を表示することができる。
【００５０】
（第７実施形態）
第７実施形態について説明する。図１０に示すように、第７実施形態でも、表示装置１０は、受像部としてディスプレイ１５を備えている。第７実施形態のディスプレイ１５は、第６実施形態のものよりも小型である。そのため、このディスプレイ１５は、リヤガラス１３の一部のみを覆い、リヤガラス１３の大部分を覆わない大きさである。また、このディスプレイ１５は、車体に対し固定式であり、天井に格納するための機構を備えていない。
【００５１】
第７実施形態では、ディスプレイ１５を小型化したことにより、車両後方を向いた座席に着座した乗員は、ディスプレイ１５に表示された映像により車両前方の光景を視認できると共に、リヤガラス１３を介して車両後方の光景も同時に視認することができる。
【００５２】
（第８実施形態）
第８実施形態について説明する。図１１に示すように、第８実施形態では、リヤガラス自体がディスプレイ１５機能を有している。このリヤガラス１３は、通常時は光を透過する透明ガラスであるが、通電によって映像を表示する機能を有するものである。リヤガラス１３が映像を表示している状態では、車両後方からの光を遮断してもよく、また、車両後方からの光の一部を透過するようにしてもよい。
【００５３】
第８実施形態では、受像部にリヤガラス１３と兼用のディスプレイ１５を採用することにより、上記の実施形態で説明したプロジェクタ１２またはスクリーン１４などが不要となるので、車室内の構成をより簡素なものにすることができる。
【００５４】
（第９実施形態）
第９実施形態について説明する。図１２に示すように、第９実施形態では、１列目の座席２、３と２列目の座席４、５とがいずれも、車両前方を向く場合と、車両側方を向く場合とに切り替え可能である。図１２では、１列目の座席２、３が車両側方を向き、且つ、２列目の座席４、５も車両側方を向いた状態を示している。
【００５５】
受像部としてのプロジェクタ１２は、カメラ１１で撮影された映像を、車両前方以外を向いた座席２〜５に着座した乗員が視認可能な位置に表示するものである。すなわち、プロジェクタ１２は、カメラ１１で撮影された映像を車室内壁としてのサイドガラス７に投影する。サイドガラス７は、車両側方を向いた座席２〜５に着座した乗員の正面にあり、その乗員が視認可能な位置にある。なお、プロジェクタ１２は、映像をサイドガラス７に投影すると共に、図示していないセンターピラーに投影してもよい。
【００５６】
サイドガラス７は、プロジェクタ１２から投影された光を反射すると同時に、車両側方からの光を透過するように構成されている。これにより、車両側方を向いた座席２〜５に着座した乗員は、サイドガラス７に映った映像により、車両前方の光景を視認することができる。また、その乗員は、サイドガラス７を介して車両側方の光景も同時に視認することができる。
【００５７】
第９実施形態の表示装置１０は、車両１の座席２〜５が車両側方を向く場合にも対応することが可能である。
【００５８】
（第１０実施形態）
第１０実施形態について説明する。図１３に示すように、第１０実施形態では、表示装置１０は、車室内の後部上方に設置された鏡装置１６である。この鏡装置１６は、車両前方以外を向いた座席２、３に着座した乗員が視認可能な位置に設置されている。また、図１３の矢印Ｃ、Ｄに示すように、この鏡装置１６は、車両前方から入射した光を、車両後方を向いた座席２、３に着座した乗員に向けて反射させる角度で設置されている。なお、鏡装置１６は、角度を調整可能に構成されたものであってもよい。これにより、この鏡装置１６は、車両前方の光景を、車両後方を向いた座席２、３に着座した乗員に対して表示することが可能である。したがって、車両後方を向いた座席２、３に着座した乗員は、鏡装置１６に映った映像により、車両前方の光景を視認することができる。また、その乗員は、リヤガラス１３を介して車両後方の光景も同時に視認することができる。
【００５９】
具体的には、図１４に示すように、鏡装置１６は、例えば、車体に固定された筐体１７の内側に、鏡本体１８が収容される構成としてもよい。この場合、筐体１７に対し鏡本体１８の角度を調整することが可能である。なお、鏡装置１６の構成は、これに限らず、例えば車体に筐体１７を埋込み式にするなど、種々の形態を採用することが可能である。
【００６０】
第１０実施形態では、カメラ１１やプロジェクタ１２などの電子機器が不要であるので、表示装置１０の構成を簡素なものとすることが可能である。
【００６１】
また、第１０実施形態の変形例を図１５に示す。鏡装置１６は、鏡本体１８、車体に固定される車体固定部１９、および鏡本体１８と車体固定部１９とを連結する角度調整部２０により構成されたものであってもよい。角度調整部２０は、鏡本体１８の角度を調整することが可能である。この構成によっても、第１０実施形態と同様の作用効果を奏することが可能である。
【００６２】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００６３】
例えば、上記実施形態では、プロジェクタ１２が映像を投影するための車両内壁としてリヤガラス１３、サイドガラス７、スクリーン１４を例示したが、車両内壁は、それ以外に、例えば、車室内に設置したテーブル、または、天井などであってもよい。また、ディスプレイ１５は、車体から着脱可能なものとしてもよい。
【００６４】
（まとめ）
上述の実施形態の一部または全部で示された第１の観点によれば、車両前方以外を向く座席を備えた車両に搭載される表示装置は、車両前方以外を向いた座席に着座した乗員が視認可能な位置に車両前方の映像を表示するものである。
【００６５】
第２の観点によれば、車両前方以外を向いた座席に着座した乗員は、車両の加速、減速またはタイヤ角度調節に関わる操作を実施することなく、表示装置により表示された映像を視認可能である。
【００６６】
これによれば、表示装置は、車両の運転操作が必要でない乗員の快適性を向上することができる。
【００６７】
第３の観点によれば、表示装置は、撮影部および受像部を備える。撮影部は、車両前方の光景を撮影可能である。受像部は、撮影部によって撮影された映像を、車両前方以外を向いた座席に着座した乗員が視認可能な位置に表示可能である。
【００６８】
これによれば、車両前方以外を向いた座席に着座した乗員は、撮影部によって撮影された車両前方の光景を、受像部により表示された映像により視認することが可能である。
【００６９】
第４の観点によれば、受像部は、車室内に設置され、車室内壁に映像を投影するプロジェクタである。
【００７０】
これによれば、プロジェクタから車室内壁に映像を投影することで、車両前方以外を向いた座席に着座した乗員は、撮影部によって撮影された車両前方の光景を視認することが可能である。
【００７１】
第５の観点によれば、車室内壁には、リヤガラスまたはサイドガラスが含まれる。
【００７２】
これによれば、プロジェクタから映像が投影される車室内壁としてリヤガラスまたはサイドガラスを使用することで、受像部の構成を簡素なものとすることが可能である。また、リヤガラスまたはサイドガラスを透過して見える車外の光景と、プロジェクタから投影された車両前方の映像とを同時に視認することが可能となる。したがって、車両前方以外を向いた座席に着座した乗員は、車両が自動運転などにより走行しているときに感じるストレスまたは不安感がさらに緩和される。
【００７３】
さらに、リヤガラスまたはサイドガラスに調光ガラスを使用して光の透過率を調整することも可能である。また、プロジェクタから映像を投影する際に、車両外部からの光を遮断すれば、乗員は、リヤガラスまたはサイドガラスに映った映像により、車両前方の光景のみを鮮明に視認することが可能となる。
【００７４】
第６の観点によれば、車室内壁には、スクリーンが含まれる。
【００７５】
これによれば、例えばロール巻き上げ式のスクリーンを車室内に設置することにより、スクリーンを使用しないときには、スクリーンを巻き上げて、乗員は、ウィンドガラスから車外の光景を視認することが可能である。また、スクリーンを使用するときは、スクリーンによって車外の光が遮断されるので、乗員は、スクリーンに映った映像により、車両前方の光景のみを鮮明に視認することが可能となる。
【００７６】
第７の観点によれば、受像部は、映像を表示するディスプレイ、またはディスプレイ機能を有するリヤガラスまたはサイドガラスである。
【００７７】
これによれば、受像部にディスプレイを採用することにより、受像部の構成をより簡素なものとすることが可能である。受像部にディスプレイを採用することにより、プロジェクタを用いることに比べて、より鮮明な映像を表示することができる。なお、ディスプレイは、天井などに格納可能なものとしてもよい。
【００７８】
第８の観点によれば、車両前方の映像を座席に着座した乗員に向けて反射させる鏡装置である。
【００７９】
これによれば、表示装置は、その構成をより簡素なものとすることが可能である。
【００８０】
第９の観点によれば、車両に搭載可能な車室内システムは、座席および表示装置を備える。座席は、車両の車室内に設けられ、車両前方以外を向くものである。表示装置は、車両前方以外を向いた座席に着座した乗員が視認可能な位置に車両前方の映像を表示する。
【００８１】
これによれば、車両前方以外を向いた座席に着座した乗員は、車両前方の光景を表示装置により視認することが可能である。そのため、その乗員は、車両が自動運転などにより走行しているときに感じるストレスまたは不安感が緩和される。したがって、この車室内システムは、車両前方以外を向いた座席に着座している乗員の快適性を向上することができる。
【符号の説明】
【００８２】
１              車両
２、３、４、５  座席
１０            表示装置
【図１】
2019206192.tif 000003
【図２】
2019206192.tif 000004
【図３】
2019206192.tif 000005
【図４】
2019206192.tif 000006
【図５】
2019206192.tif 000007
【図６】
2019206192.tif 000008
【図７】
2019206192.tif 000009
【図８】
2019206192.tif 000010
【図９】
2019206192.tif 000011
【図１０】
2019206192.tif 000012
【図１１】
2019206192.tif 000013
【図１２】
2019206192.tif 000014
【図１３】
2019206192.tif 000015
【図１４】
2019206192.tif 000016
【図１５】
2019206192.tif 000017